(57)【要約】      （修正有）【課題】より明るく優美で気持ち良く観賞できる造花フラワー付き観賞植物を提供する。【解決手段】植木鉢２に植えた観賞植物のゴムの木３の茎部４などに、下端には取付用の細い針金６を有する綺麗な造花フラワー５を、結束具７で取り付ける。【選択図】図１
0003205296.tif 000002
【実用新案登録請求の範囲】
【請求項１】
植木鉢に観葉植物又は常緑植物を植えた観賞植物において、該観賞植物の茎部に、下端には取付用の細い針金を有する綺麗な造花フラワーを、結束具で複数箇所に取り付けた造花フラワー付き観賞植物。
【請求項２】
植木鉢に観葉植物又は常緑植物を植えた観賞植物において、該観賞植物の複数箇所の枝部に、下端には取付用針金を有する綺麗な造花フラワーを、結束具で複数箇所に取り付けた造花フラワー付き観賞植物。
【請求項３】
植木鉢に観葉植物又は常緑植物を植えた観賞植物において、該観賞植物の茎部と枝部とに、下端には取付用針金を有する綺麗な造花フラワーを、結束具で複数箇所に取り付けた造花フラワー付き観賞植物。
【請求項４】
結束具が、細い針金線又は周囲を着色した細い針金線である請求項１乃至請求項３である造花フラワー付き観賞植物。
【請求項５】
結束具が、黄金色の金属製薄い帯状の結束帯である請求項１乃至請求項３である造花フラワー付き観賞植物。
【請求項６】
植木鉢に観葉植物又は常緑植物を植えた観賞植物において、該観賞植物の後方側の植木鉢に、支持体の上部に複数本の綺麗な造花フラワーを有する棒状の支持体を、突き刺して設けた造花フラワー付き観賞植物。
【請求項７】
植木鉢に観葉植物又は常緑植物を植えた観賞植物において、該観賞植物の前方側の植木鉢に、支持体の上部には複数本の綺麗な造花フラワーを有する棒状の支持体を、突き刺して設けた造花フラワー付き観賞植物。
【請求項８】
植木鉢に観葉植物又は常緑植物を植えた観賞植物において、該観賞植物の後方側と前方側との植木鉢に、支持体の上部には複数本の綺麗な造花フラワーを有する棒状の支持体を、それそれ突き刺して設けた造花フラワー付き観賞植物。
【考案の詳細な説明】
【技術分野】
【０００１】    この考案は、植木鉢に観葉植物又は常緑植物を植えた観賞植物に、綺麗な造花フラワーを、結束などして取り付けた観葉植物に係るものである。
【背景技術】
【０００２】    従米は、観賞植物として、家の玄関の内側又は外側や室内などに置くための植物は、図面の図１１と図１２に図示したように植物の葉（符号７１１、７１２）だけからなる観葉植物などを植木鉢（符号７２１、７２２）に植えた観賞植物がある。【０００３】  従来のこの葉だけからなる観賞植物では、植物の葉だけを観賞するだけである。
【考案の概要】
【考案が解決しようとする課題】
【０００４】  この従来の観賞植物は、葉だけであるために、より明るく優美に観賞をすることができ難いという問題点があったし、常緑植物は花を付けるものもあるが、花期が終われば葉だけになり、より明るく優美に観賞することが難いという問題点があった。
そして、より明るく優美で気持ち良く観賞できる観賞植物の実現が要望されている。【０００５】  この考案は、従来の観賞植物が有するこの問題点を解消することであるとともにこの観賞者の要望に応えられることである。
【課題を解決するための手段】
【０００６】  観賞植物の茎部などに、下端には取付用の細い針金を有する綺麗な造花フラワーを、結束具で取り付けた造花フラワー付き観賞植物である。
【考案の効果】
【０００７】  この考案の造花フラワー付き観賞植物は、植木鉢に植えた観賞植物の茎部などに、下端には取付用の細い針金を有する綺麗な造花フラワーを、結束具で複数箇所に取り付けたから、観賞者は、造花フラワー付き観賞植物の茎部などに取付けた造花フラワーと観賞植物の葉とを、より明るく優美で気持ち良く観賞することができるし、このように観賞者がより明るく優美で気持ち良く観賞することができるために、観賞者の要望に対しても応えられるという効果ある。
そして、この植木鉢に植えた観賞植物自体は、水を補給することにより枯れることなく長期間良い状態を保つことができるために、観賞者は良好な観賞植物を長期間観賞することができるし、実生の植物を育てるという楽しみも味わうこができる。
また、造花フラワーは造花であるために、観賞者は季節に合わせてたり、好みに合わせたりなどして結束具を取外すことにより古い造花フラワーを茎部などより取外し、新しい造花フラワーを結束具とともに茎部などに取付けて交換することにより多種・多様の造花フラワー付き観賞植物を観賞者は観賞することができる。
更に、長期間観賞していると、観賞植物が茎部・枝部が成長した時は、この成長した部分の茎部・枝部に新しい造花フラワーを結束具で取付けて補充することができるし、補充した新しい造花フラワー付き観賞植物を観賞者は明るく優美で気持ち良く観賞することができる。【０００８】  請求項２の造花フラワー付き観賞植物は、植木鉢に植えた観賞植物の枝部に、下端には取付用の細い針金を有する綺麗な造花フラワーを、結束具で複数箇所に取り付けたから、  観賞者は、造花フラワー付き観賞植物の枝部に取付けた造花フラワーと観賞植物の葉とを、より明るく優美な気持ち良く観賞することができる。
このように観賞者がより明るく優美な気持ち良く観賞することができるために、観賞者の要望に対しても応えられるという効果ある。
そして、この植木鉢に植えた観賞植物自体は、水を補給することにより枯れることなく長期間良い状態を保つことができるために、観賞者は良好な観賞植物を長期間観賞することができるし、実生の植物を育てるという楽しみも味わうこができる。
また、造花フラワーは造花であるために、観賞者の季節に合わせてたり、好みに合わせたりなどして結束具を取外すことにより古い造花フラワーを枝部より取外し、新しい造花フラワーを結束具とともに枝部に取付けて交換することにより多種・多様の造花フラワー付き観賞植物を観賞者は観賞することができる。
更に、長期間観賞していると、観賞植物が枝部・茎部が成長した時は、この成長した部分の枝部・茎部に新しい造花フラワーを結束具で取付けて補充することができるし、補充した新しい造花フラワー付き観賞植物を観賞者は明るく優美な気持ち良く観賞することができる。【０００９】  請求項３の造花フラワー付き観賞植物は、この観賞植物の茎部と枝部とに、下端には取付用の針金を有する綺麗な造花フラワーを、結束具で複数箇所に取り付けたから、観賞者は、造花フラワー付き観賞植物の茎部と枝部に取付けた造花フラワーと観賞植物の葉とを、より明るく優美な気持ち良く観賞することができるし、このように観賞者がより明るく優美な気持ち良く観賞することができるために、観賞者の要望に対しても応えられるという効果ある。
そして、この植木鉢に植えた観賞植物自体は、水を補給することにより枯れることなく長期間良い状態を保つことができるために、観賞者は良好な観賞植物を長期間観賞することができるし、造花フラワーは造花であるために、観賞者の季節に合わせてたり、好みに合わせたりなどして結束具を取外すことにより古い造花フラワーを茎部又は枝部の１方又は双方より取外し、新しい造花フラワーを結束具とともに茎部又は枝部の１方又は双方に取付けて交換することにより多種・多様の造花フラワー付き観賞植物を観賞者は観賞することができる。
更に、長期間観賞していると、観賞植物が茎部と枝部が成長した時は、この成長した部分の茎部又は枝部の１方又は双方に新しい造花フラワーを結束具で取付けて補充することができるし、補充した新しい造花フラワー付き観賞植物を観賞者は明るく優美な気持ち良く観賞することができる。【００１０】  請求項４の造花フラワー付き観賞植物は、観賞植物に造花フラワーを着脱自在に取り付ける結束具として細い針金線又は周囲を着色した細い針金線を使用するから、細い針金線の結束具は形状を容易に変形することができるできるために、この細い針金線で、観賞植物の茎部・枝部任意の位置に造花フラワーの取付用針金と観賞植物の茎部・枝部とを、希望する位置に容易に取付けることができるし、観賞者は、造花フラワー付き観賞植物の茎部又は枝部の１方又は双方に取付けた造花フラワーと観賞植物の葉とを、より明るく優美な気持ち良く観賞することができる。
特に、結束具として周囲を着色した細い針金線として例えば葉と同じ緑色に着色した細い針金線を使用するすることにより、観賞植物の全体を気持ち良く観賞することができる。【００１１】  請求項５の造花フラワー付き観賞植物は、観賞植物に造花フラワーを着脱自在に取り付ける結束具として黄金色の金属製薄い帯状の結束帯を使用するから、金属製薄い帯状の結束帯の結束具は形状を容易に変形することができるできるために、この黄金色の結束帯で、観賞植物の茎部・枝部任意の位置に造花フラワーの取付用針金で観賞植物の茎部・枝部とに、希望する位置に容易に取付けることができるし、観賞者は、造花フラワー付き観賞植物の茎部又は枝部の１方又は双方に取付けた造花フラワーを、より明るく優美な気持ち良く観賞することができる。
そして、結束具として黄金色の結束帯を使用しために、観賞植物の全体を気持ち良く観賞することができる。【００１２】  請求項６の造花フラワー付き観賞植物は、植木鉢に植えた観賞植物の後方側の植木鉢に、支持体の上部には複数本の綺麗な造花フラワーを有する棒状の支持体を、突き刺して設けたから、観賞者は、観賞植物の後方側に有する複数の綺麗な造花フラワーと観賞植物の葉とを、より明るく優美な気持ち良く観賞することができるし、このように観賞者がより明るく優美な気持ち良く観賞することができるために、観賞者の要望に対しても応えられるという効果ある。
そして、この植木鉢に植えた観賞植物自体は、水を補給することにより枯れることなく長期間良い状態を保つことができるために、観賞者は良好な観賞植物を長期間観賞することができるし、実生の植物を育てるという楽しみも味わうこができる。
造花フラワーは造花などを長期間観賞した後は、観賞者は季節に合わせてたり、好みに合わせるために、、造花フラワー付き支持体を植木鉢から引き抜いて、新しい造花フラワー付き支持体を元の位置に突き刺ことにより、多種・多様の造花フラワー付き観賞植物を観賞者は観賞することができる。
更に、長期間観賞して観賞植物が成長した時は、この成長した部分の高さまでなどに造花フラワー付き支持体を植木鉢から引き上げて観賞することにより、観賞し易い位置にした造花フラワー付き観賞植物を観賞者は明るく優美な気持ち良く観賞することができる。【００１３】  請求項７の造花フラワー付き観賞植物は、植木鉢に植えた観賞植物の前方側の植木鉢に、支持体の上部には複数の綺麗な造花フラワーを有する棒状の支持体を、突き刺して設けたから、観賞者は、観賞植物の前方側に有する上部に複数本の綺麗な造花フラワーと観賞植物とを、より明るく優美な気持ち良く観賞することができるし、このように観賞者がよりり明るく優美な気持ち良く観賞することができるために、観賞者の要望に対しても応えられるという効果ある。
そして、この植木鉢に植えた観賞植物自体は、水を補給することにより枯れることなく長期間良い状態を保つことができるために、観賞者は良好な観賞植物を長期間観賞することができるし、造花フラワーは造花などを長期間観賞した後は、観賞者は季節に合わせてたり、好みに合わせるために、、造花フラワー付き支持体を植木鉢から引き抜いて、新しい造花フラワー観賞者は観賞することができる。
更に、長期間観賞していると、観賞植物が成長した時は、この成長した部分の高さまでなどに造花フラワー付き支持体を植木鉢を引き上げたり、別の新しい造花フラワー付き支持体を高い位置に突き刺すことにより、より良い位置にした造花フラワー付き観賞植物を観賞者はより明るく優美な気持ち良く観賞することができる。【００１４】  請求項８の造花フラワー付き観賞植物は、植木鉢に植えた観賞植物の後方側と前方側の植木鉢に、支持体の上部には複数本の綺麗な造花フラワーを有する棒状の支持体を、突き刺して設けたから、観賞者は、観賞植物の後方側と前方側とに有る複数本の綺麗な造花フラワーと観賞植物の葉とを、より明るく優美な気持ち良く観賞することができるし、このように観賞者がより明るく優美な気持ち良く観賞することができるために、観賞者の要望に対しても応えられるという効果ある。
そして、この植木鉢に植えた観賞植物自体は、水を補給することにより枯れることなく長期間良い状態を保つことができるために、観賞者は良好な観賞植物を長期間観賞することができるし、造花フラワーは造花などを長期間観賞した後は、に観賞者は季節に合わせてたり、好みに合わせるために、後方側と前方側とに有る１方又は双方の複数本の綺麗な造花フラワー付き支持体を植木鉢から引き抜いて、新しい造花フラワー付き支持体を元の位置に突き刺すことにより、多種・多様の造花フラワー付き観賞植物を観賞者は観賞することができる。
更に、長期間観賞して観賞植物が成長した時は、この成長した部分の高さまでなどに造花フラワー付き支持体を植木鉢より引き上げることにより観賞し易い位置にした造花フラワー付き観賞植物を観賞者は明るく優美な気持ち良く観賞することができる。【００１５】
【図面の簡単な説明】
【００１６】
【図１】  第１考案品の正面図である
【図２】  同じく１部の正面図である
【図３】  同じく結束線の斜視図である
【図４】  同じく他の結束線の斜視図である
【図５】  第２考案品の正面図である
【図６】  第３考案品の正面図である
【図７】  第４考案品の正面図である
【図８】  同じく１部の正面図である
【図９】  第５考案品の正面図である
【図１０】  第６考案品の正面図である
【図１１】  第１従来品の正面図である
【図１２】  第２従来品の正面図である
【考案を実施するための形態】
【００１７】  造花フラワー付き観賞植物は、観賞植物の茎部などに、下端には取付用の細い針金を有する綺麗な造花フラワーを、結束具で取り付けた造花フラワー付き観賞植物である。
【実施例１】
【００１８】  実施例１の造花フラワー付き観賞植物１は、図１から図４に図示のように、植木鉢２に観葉植物としてゴムの木３を植えた観葉植物の茎部４に、下端には取付用の細い針金６を有する綺麗な造花フラワー５を、結束具７で取り付けた造花フラワー付き観賞植物である。【００１９】  この実施例１の造花フラワー付き観賞植物１において、図２図示の綺麗な赤色に着色した造花フラワー５の下端に取付用細い針金６を有し、この造花フラワー細い針金を、観賞植物の茎部４に、図３又は図４図示の結束具７１、７２で取り付けた造花フラワー付き観賞植物である。【００２０】  この実施例１の造花フラワー付き観賞植物１において、使用する結束具は、図３図示のように、変形自在の細い針金又周囲を緑色などに着色した変形自在の細い針金７１を使用すると良いし、図４図示のように、黄金色の金属製薄い帯状の結束具７２を使用すると良い。
この実施例１では観葉植物としてゴムの木について説明したが、ゴムの木以外の観葉植物は、ゴールドクレスト、シェフレラ、かんのんちく、かくれみの等を使用することができるし、更にゴムの木などの観葉植物に代えて、常緑植物である椿、かなめもち、ひいらぎ、かくれみの等の常緑植物を使用することができる。
【実施例２】
【００２１】  実施例２の造花フラワー付き観賞植物１１は、図５に図示のように、植木鉢１２に観葉植物としてゴールドクレスト１３を植えた観葉植物の枝部１４に、下端には取付用の細い針金１６を有するともに黄色に着色した綺麗な造花フラワー１５を、結束具１７で取り付けた造花フラワー付き観賞植物である。
【実施例３】
【００２２】  実施例３の造花フラワー付き観賞植物２１は、図６に図示のように、植木鉢２２に観葉植物としてゴールドクレスト２３を植えた観葉植物の茎部２４１と枝部２４２に、下端には取付用細い針金２６を有するともに紫色と白色に着色した綺麗な造花のフラワー２５１と２５２とを、結束具２７１と２７２でそれぞれ取り付けた造花フラワー付き観賞植物である。
【実施例４】
【００２３】  実施例４の造花フラワー付き観賞植物３１は、図７に図示のように、植木鉢３２に観葉植物としてシェフレス３３を植える。
次に、図８に図示のように、一体成形した多数本の色違いの綺麗な造花のフラワー３５の下端に有する下向きの凹み部３５１に、棒状の支持体３４の上端を差し込んで接着剤などで固定する。
この造花のフラワー付の棒状の支持体３４を、前記の植木鉢に植えたシェフレスの後方側に、突き刺した造花フラワー付き観賞植物である。
【実施例５】
【００２４】  実施例５の造花フラワー付き観賞植物４１は、図９に図示のように、植木鉢４２に観葉植物としてベンジャミン４３を植える。
次に、前記実施例４に記載と同じように、一体成形した多数本の色違いの綺麗な造花のフラワー４５の下端に有する下向きの凹み部に、棒状の支持体４４の上端を差し込んで接着剤などで固定する。
この造花のフラワー付の棒状の支持体４４を、前記の植木鉢に植えたベンジャミンの前方側に、突き刺した造花フラワー付き観賞植物である。【００２５】  実施例６の造花フラワー付き観賞植物５１は、図１０に図示のように、植木鉢５２に観葉植物としてベンジャミン５３を植える。
次に、前記実施例４に記載と同じように、一体成形した多数本の色違いの綺麗な造花のフラワー５５の下端に有する下向きの凹み部に、棒状の支持体５４の下端を差し込んで接着剤などで固定する。
この造花のフラワー付の棒状の支持体５４を、前記の植木鉢に植えたベンジャミンの後方側に、突き刺すとともに
前記実施例４に記載と同じように、一体成形した多数本の色違いの綺麗な造花のフラワー６５の下端に有する下向きの凹み部に、棒状の支持体６４の上端を差し込んで接着剤などで固定して、この造花のフラワー付の棒状の支持体６４を、前記の植木鉢に植えたベンジャミンの前方側に、突き刺した造花フラワー付き観賞植物である。
【産業上の利用可能性】
【００２６】  この考案の造花フラワー付き観賞植物は、産業上の観賞植物業界に新しい需要を発生させる可能性があるために、この商品を生産する業界及び流通する業界などの発展に寄与するとができるという可能性がある。
【符号の説明】
【００２７】    １    造花フラワー付き観賞植物
２    植木鉢
３    ゴムの木
４    観賞植物の茎部
５    造花フラワー
６    取付用細い針金
７１  結束具
【図１】
0003205296.tif 000003
【図２】
0003205296.tif 000004
【図３】
0003205296.tif 000005
【図４】
0003205296.tif 000006
【図５】
0003205296.tif 000007
【図６】
0003205296.tif 000008
【図７】
0003205296.tif 000009
【図８】
0003205296.tif 000010
【図９】
0003205296.tif 000011
【図１０】
0003205296.tif 000012
【図１１】
0003205296.tif 000013
【図１２】
0003205296.tif 000014